(57)【要約】【課題】開口部に配置した３連戸が、全開口にわたって開閉する場合には効率的に開閉動作し、小開度に開口させる場合に少ない開閉扉力で開閉動作できる片引き三連吊戸システムを提供する。【解決手段】開口部１を閉じる位置と戸袋４に収まる位置とにわたって開閉移動する片引き三連吊戸３と、建具の見込み方向において隣合う戸先側の第１戸３１と中間の第２戸３２とを連動し、第１戸３１の移動に伴って常に第２戸３２が従動する連動装置５と、第２戸３２と戸尻側の第３戸３３とを連係し、戸閉動方向においてのみ第２戸３２の戸尻側と第３戸３３の戸先側を連係し、戸開動方向においてのみ第２戸３２の戸尻側と第３戸３３の戸尻側を連係する連係装置６を備える。【選択図】図１
2020176387.tif 000002
【特許請求の範囲】
【請求項１】
開口部を閉じる位置と戸袋に収まる位置とにわたって開閉移動する片引き三連吊戸と、建具の見込み方向において隣合う戸先側の第１戸と中間の第２戸とを連動し、第１戸の移動に伴って常に第２戸が従動する連動装置と、第２戸と戸尻側の第３戸とを連係し、戸閉動方向においてのみ第２戸の戸尻側と第３戸の戸先側を連係し、戸開動方向においてのみ第２戸の戸尻側と第３戸の戸尻側を連係する連係装置を備えることを特徴とする片引き三連吊戸システム。
【請求項２】
連係装置は、第３戸の戸先側と戸尻側とに設けるストッパーと、第２戸の戸尻側に設ける流体式緩衝器からなり、
流体式緩衝器は、戸閉動方向において戸先側のストッパーと連係し、戸開動方向において戸尻側のストッパーと連係し、連係時に衝撃を吸収してストッパーを非反発状態で押圧することを特徴とする請求項１に記載の片引き三連吊戸システム。
【請求項３】
開口部を閉じる位置と戸袋に収まる位置とにわたって開閉移動する片引き三連吊戸と、建具の見込み方向において隣合う戸先側の第１戸と中間の第２戸とを連係し、戸閉動方向においてのみ第１戸の戸尻側と第２戸の戸先側を連係し、戸開動方向においてのみ第１戸の戸先側と第２戸の戸先側を連係する連係装置と、第２戸と戸尻側の第３戸とを連動し、第２戸の移動に伴って常に第３戸が従動する連動装置を備えることを特徴とする片引き三連吊戸システム。
【請求項４】
連係装置は、第１戸の戸先側と戸尻側とに設けるストッパーと、第２戸の戸先側に設ける流体式緩衝器からなり、
流体式緩衝器は、戸閉動方向において戸尻側のストッパーと連係し、戸開動方向において戸先側のストッパーと連係し、連係時に衝撃を吸収してストッパーを非反発状態で押圧することを特徴とする請求項３に記載の片引き三連吊戸システム。
【請求項５】
ストッパーを設けた戸が戸閉動方向において対向する戸当たりに、全閉時に前記戸を受け止める流体式緩衝器を有することを特徴とする請求項２または４に記載の片引き三連引戸システム。
【発明の詳細な説明】
【技術分野】
【０００１】
本発明は、片引き三連吊戸システムに関し、小開度での戸の開閉に要する開閉扉力を軽減する技術に係るものである。
【背景技術】
【０００２】
従来、住居、病院、各種の施設においては、部屋と部屋の間の開口部や、廊下と病室の間の開口部に片引き戸が配置されている。開口部が広いときには、２連、３連の複数の戸が配置されており、戸の開閉の効率を高めるために、複数の戸が連動して開閉動作するものがある。
【０００３】
例えば、特許文献１には、互いに連動する複数の引戸により開口部を開閉させる連動式重ね引戸装置が開示されている。この引戸装置では、引戸同士に力を伝達して連動させる連動手段としてラックアンドピニオン機構が設けられている。
【０００４】
ここでは、開口部から戸袋に至る上枠に、複数条の案内溝を有するガイドレールを設け、案内溝内を走行する吊り戸車を各戸の上端縁である戸首に設けている。そして、ガイドレールの戸尻側に固定ラックを配置し、戸先側の戸に可動ラックを配置し、固定ラックおよび可動ラックの双方に噛合するピニオンを戸尻側の戸に配置してラックアンドピニオン機構を構成している。この構成により、戸先側の戸の開閉動作に戸尻側の戸が連動して開閉動作する。また、特許文献１には、３連戸をラックアンドピニオン機構で連動する構成が開示されている。
【先行技術文献】
【特許文献】
【０００５】
【特許文献１】特開２００３−２０８６２
【発明の概要】
【発明が解決しようとする課題】
【０００６】
近年、バリアフリーの必要性が社会的に求められており、高齢者や身体の不自由な人のみならず、健常者にとっても安全で使いやすい引戸が求められている。このため、車いすの人や介助が必要な人も動きやすいように開口部を広くして人の行き来が容易に行える大開口に３連戸を配置する場合がある。
【０００７】
しかし、特許文献１のように、３枚の戸をラックアンドピニオンで連動すると、大開口を全開する場合には、効率的に戸の開閉動作を行えるが、第１戸の開閉動作に連動して残りの２枚の戸が開閉動作するので、小開度に開閉する場合にあっても、高齢者等の力の弱いものにとっては開閉動作に大きな負荷がかかる。
【０００８】
本発明は上記した課題を解決するものであり、開口部に配置した３連戸が、全開口にわたって開閉する場合には効率的に開閉動作し、小開度に開口させる場合に少ない開閉扉力で開閉動作できる片引き三連吊戸システムを提供することを目的とする。
【課題を解決するための手段】
【０００９】
上記した課題を解決するために、本発明の片引き三連吊戸システムは、開口部を閉じる位置と戸袋に収まる位置とにわたって開閉移動する片引き三連吊戸と、建具の見込み方向において隣合う戸先側の第１戸と中間の第２戸とを連動し、第１戸の移動に伴って常に第２戸が従動する連動装置と、第２戸と戸尻側の第３戸とを連係し、戸閉動方向においてのみ第２戸の戸尻側と第３戸の戸先側を連係し、戸開動方向においてのみ第２戸の戸尻側と第３戸の戸尻側を連係する連係装置を備えることを特徴とする。
【００１０】
本発明の片引き三連吊戸システムにおいて、連係装置は、第３戸の戸先側と戸尻側とに設けるストッパーと、第２戸の戸尻側に設ける流体式緩衝器からなり、流体式緩衝器は、戸閉動方向において戸先側のストッパーと連係し、戸開動方向において戸尻側のストッパーと連係し、連係時に衝撃を吸収してストッパーを非反発状態で押圧することを特徴とする。
【００１１】
本発明の片引き三連吊戸システムは、開口部を閉じる位置と戸袋に収まる位置とにわたって開閉移動する片引き三連吊戸と、建具の見込み方向において隣合う戸先側の第１戸と中間の第２戸とを連係し、戸閉動方向においてのみ第１戸の戸尻側と第２戸の戸先側を連係し、戸開動方向においてのみ第１戸の戸先側と第２戸の戸先側を連係する連係装置と、第２戸と戸尻側の第３戸とを連動し、第２戸の移動に伴って常に第３戸が従動する連動装置を備えることを特徴とする。
【００１２】
本発明の片引き三連吊戸システムにおいて、連係装置は、第１戸の戸先側と戸尻側とに設けるストッパーと、第２戸の戸先側に設ける流体式緩衝器からなり、流体式緩衝器は、戸閉動方向において戸尻側のストッパーと連係し、戸開動方向において戸先側のストッパーと連係し、連係時に衝撃を吸収してストッパーを非反発状態で押圧することを特徴とする。
【００１３】
本発明の片引き三連吊戸システムにおいて、ストッパーを設けた戸が戸閉動方向において対向する戸当たりに、全閉時に前記戸を受け止める流体式緩衝器を有することを特徴とする。
【発明の効果】
【００１４】
上記した構成により、開口部に配置した片引き３連吊戸を、全開口にわたって開閉する場合には、連動装置および連係装置によって最終的に全戸が一体化して効率的に開閉動作する。小開度に開口する場合に、連係装置で連係する二つの戸は、常に一体的に移動するのではなく、一方の戸の戸先側と戸尻側との間に相応する距離を他方の戸の戸尻側が移動する間において二つの戸は連係せず、他方の戸は、一方の戸の負荷を伴うことなく、少ない開閉扉力で開閉動作できる。
【００１５】
また、連係装置を、一方の戸の戸先側と戸尻側とに設けるストッパーと、他方の戸の戸尻側に設ける流体式緩衝器で構成することにより、連係時に衝撃を吸収して非反発状態で連係させることができ、他方の戸に加えた開閉扉力を連係時に速やかに一方の戸に伝達して効率良く３戸を一体化して開閉動作できる。
【００１６】
また、第１引込装置および第２引込装置を有するので、全閉工程および全開工程の最終直前にゆっくりと戸を引き込んで確実に全閉状態および全開状態にすることができる。
【図面の簡単な説明】
【００１７】
【図１】本発明の実施の形態における片引き三連吊戸を戸先側から戸尻側を見た側面図
【図２】同実施の形態における片引き三連吊戸の全閉状態を示す（ａ）は平面図、（ｂ）は正面図
【図３】同実施の形態における片引き三連吊戸のうち２戸が連動して移動し、１戸が非連係で停止する状態を示す（ａ）は平面図、（ｂ）は正面図
【図４】同実施の形態における片引き三連吊戸のうち２戸が連動して移動するとともに、１戸が連係して移動する状態を示す（ａ）は平面図、（ｂ）は正面図
【図５】同実施の形態における片引き三連吊戸の全開状態を示す（ａ）は平面図、（ｂ）は正面図
【図６】同実施の形態における引き込み装置を示し、（ａ）は引き込み状態を示す正面図、（ｂ）は開放状態を示す正面図
【図７】本発明の他の実施の形態における片引き三連吊戸の全閉状態を示す（ａ）は平面図、（ｂ）は正面図
【図８】同実施の形態における片引き三連吊戸のうち２戸が連動して移動し、１戸が非連係で停止する状態を示す（ａ）は平面図、（ｂ）は正面図
【図９】同実施の形態における片引き三連吊戸のうち２戸が連動して移動するとともに、１戸が連係して移動する状態を示す（ａ）は平面図、（ｂ）は正面図
【図１０】同実施の形態における片引き三連吊戸の全開状態を示す（ａ）は平面図、（ｂ）は正面図
【発明を実施するための形態】
【００１８】
以下、本発明の実施の形態を図面に基づいて説明する。
実施の形態１
図１から図６において、本実施の形態に係る片引き三連吊戸システムは、住居、各種施設の開口部１に配置するものである。ここでは、開口部１の内側縁に建具枠２を配置しているが、建具枠２は必須ではない。
【００１９】
開口部１に配置する片引き三連吊戸３は、第１戸３１、第２戸３２、第３戸３３からなり、開口部１を閉じる位置と戸袋４に収まる位置とにわたって開閉移動する。
【００２０】
片引き三連吊戸３の開閉移動方向に直交する方向、つまり建具の見込み方向において隣合う戸先側の第１戸３１と中間の第２戸３２の間には、双方の戸を連動する連動装置５が介装されている。この連動装置５により第１戸３１の移動に伴って常に第２戸３２が従動する。
【００２１】
建具の見込み方向において隣合う第２戸３２と戸尻側の第３戸３３の間には、双方の戸を連係する連係装置６が介装されている。連係装置６は、戸閉動方向においてのみ第２戸３２の戸尻側と第３戸３３の戸先側を連係し、戸開動方向においてのみ第２戸３２の戸尻側と第３戸３３の戸尻側を連係する。
【００２２】
片引き三連吊戸３の各戸３１、３２、３３は、ガイドレール７に支持されている。ガイドレール７は３条の案内溝７１、７２、７３を有しており、ガイドレール７の戸先側に第２戸３２を閉動方向に引き込む第１引込装置８を有し、ガイドレール７の戸尻側に第１戸３１を開動方向に引き込む第２引込装置９を有している。
【００２３】
各戸３１、３２、３３は、上端縁、いわゆる戸首に吊戸車１０を設けており、各吊戸車１０がガイドレール７の案内溝７１、７２、７３の内部を走行する。
【００２４】
連動装置５は、第１戸３１に設けた第１ラック５１と、第３戸３３に設けた第２ラック５２と、第２戸３２に設けたピニオン５３からなり、ピニオン５３が第１ラック５１および第２ラック５２の双方に噛合している。第１ラック５１および第２ラック５２はそれぞれラックケース５４に保持されており、ラックケース５４は吊戸車１０の吊ボルト１０ａに支持されている。第３戸３３は、戸先側に伸びるラック支持材１１を有しており、ラック支持材１１の側方に第２ラック５２を配置している。
【００２５】
第３戸３３が走行する案内溝７３には、戸当たり１２を設けており、戸当たり１２にラック支持材１１の先端が当接して戸閉動方向において第３戸３３を定位置に留める。この戸当たり１２は緩衝装置１２ａを備えるものとすることも可能であり、ここでは緩衝装置１２ａが後述する流体式緩衝器６３と同様の直動式のピストン・シリンダ装置からなる。
【００２６】
連係装置６は、連係させる第２戸３２、第３戸３３の内、一方の第３戸３３の戸先側と戸尻側とに設けるストッパー６１、６２と、他方の第２戸３２の戸尻側に設ける流体式緩衝器６３からなる。本実施の形態では流体式緩衝器６３を設けているが、緩衝器としては、樹脂、ゴム、スプリング等の弾性体を使用するものでもよく、単なる金属であってもよい。流体式緩衝器６３の流体は、空気、その他の気体、あるいは油や水、その他の液体であってもよい。
【００２７】
本実施の形態では、流体式緩衝器６３が、粘性流体の一つである油を使用する一対の直動式のピストン・シリンダ部６４、６５と、ピストン・シリンダ部６４、６５を保持するホルダー６６からなり、第２戸３２の上端縁に配置されている。
【００２８】
流体式緩衝器６３は、一方のピストン・シリンダ部６４が戸閉動方向において第３戸３３の戸先側のストッパー６１に当接して第２戸３２と第３戸３３を連係し、他方のピストン・シリンダ部６５が戸開動方向において第３戸３３の戸尻側のストッパー６２に当接して第２戸３２と第３戸３３を連係する。
【００２９】
流体式緩衝器６３は、連係時にストッパー６１、６２に当接する際に、ピストン・シリンダ部６４、６５が衝撃を吸収してストッパー６１、６２を非反発状態で押圧する。
【００３０】
第１引込装置８は、第２戸３２が走行する案内溝７２の内部においてガイドレール７に固定しており、第２引込装置９は第１戸３１が走行する案内溝７１の側方においてガイドレール７に固定している。
【００３１】
第１引込装置８および第２引込装置９は同じ構造であり、戸先側と戸尻側が反対方向に向いて配置されている。ここでは第１引込装置８を図６に例示し、第２引込装置９の同じ構成要素には同符号を付して説明を省略する。
【００３２】
第１引込装置８は、引きばね８１と制動装置のオイルダンパー８２と、引きばね８１とオイルダンパー８２を収容するケーシング８３を備え、オイルダンパー８２を介した戸開閉方向の両側にブラケット８４、８５を有している。
【００３３】
ケーシング８３はブラケット８４、８５のそれぞれを水平方向に移動可能に保持する溝８６、８７を有している。
【００３４】
ブラケット８４、８５は引きばね８１の両端をそれぞれ支持しており、戸尻側、すなわち第２戸３２に向き合うブラケット８５にはオイルダンパー８２のロッド８８が連結されている。このブラケット８５は断面コの字状の凹部８９を有し、凹部８９において第２戸３２に固定されたアーム９０の凸状の先端部９１に係合する。アーム９０は第２戸３２の吊り戸車１０に固定されている。
【００３５】
第２引込装置９は、ガイドレール７の側方に張り出した持ち出しガイド９２を有し、ガイド９２の先端部９３がブラケット８５の凹部８９に係合する。
【００３６】
各戸３１、３２、３３の下端縁にはガイド溝３１ａ、３２ａ、３３ａが形成されており、各ガイド溝３１ａ、３２ａ、３３ａに係合する振れ止めガイド３１ｂ、３２ｂ、３３ｂを設けている。第１戸３１のガイド溝３１ａに係合する振れ止めガイド３１ｂは金具３１ｃで第２戸３２に固定し、第２戸３２のガイド溝３２ａに係合する振れ止めガイド３２ｂは金具３２ｃで第３戸３３に固定し、第３戸３３のガイド溝３３ａに係合する振れ止めガイド３３ｂは建具枠２の敷居２ａに固定している。
【００３７】
以下、上記構成における作用を説明する。
（全閉状態）
図２に示す全閉状態において、第１戸３１は、戸先側が建具枠２の竪枠に当接し、持ち出しガイド９２の先端部９３が第２引込装置９から離脱し、第２戸３２のアーム９０の先端部９１が第１引込装置８に係合している。
【００３８】
図６（ａ）に示すように、第１引込装置８は、オイルダンパー８２の緩衝力に抗して引きばね８１の力によって第２戸３２を戸先側に引き寄せており、オイルダンパー８２のロッド８８が収縮した状態にあり、第２戸３２に設けたアーム９０の先端部９１が第１引込装置８のブラケット８５の凹部８９に係合している。
【００３９】
連動装置５は、ピニオン５３が第１ラック５１の戸尻側と第２ラック５２の戸先側に噛合している。
【００４０】
連係装置６は、流体式緩衝器６３の一方のピストン・シリンダ部６４が第３戸３３の戸先側のストッパー６１に当接している。
【００４１】
第３戸３３は、ラック支持材１１の戸先側が戸当たり１２の緩衝装置１２ａに当接している。
（開動途中１）
図３に示すように、第１戸３１を戸開動方向に移動させると、連動装置５が第１戸３１と第２戸３２を連動させて戸開動方向に移動させ、第１戸３１の移動に伴って常に第２戸３２が従動する。
【００４２】
すなわち、第１ラック５１の移動に伴ってピニオン５３が回転し、ピニオン５３の回転にともなってピニオン５３が第２ラック５２に噛合しながら戸尻側に移動する。このとき、第２ラック５２がピニオン５３から受ける力はラック支持材１１を介して戸当たり１２が受け止める。
【００４３】
この結果、第１戸３１とともに第２戸３２が戸尻側に移動する。この間に、第１引込装置８のブラケット８５が引きばね８１の力に抗して戸尻側に移動し、オイルダンパー８２のロッド８８が伸張し、ケーシング８３の溝８７の上方に立ち上がった端部８７ａにブラケット８５の係合部８５ａが入り込み、ブラケット８５が傾動してアーム９０の先端部９１がブラケット８５の凹部８９から離脱する。
【００４４】
連係装置６は流体式緩衝器６３の戸先側のピストン・シリンダ部６４が第３戸３３の戸先側のストッパー６１から離れる。そして、第３戸３３の戸先側のストッパー６１と戸尻側ストッパー６２との間に相応する距離を、第２戸３２の戸尻側の流体式緩衝器６３が移動する間において二つの戸は連係しない。
【００４５】
このため、片引き３連吊戸３を小開度に開口する場合に、第３戸３３は第２戸３２および第１戸３１と一体に移動せず、第３戸３３の負荷を伴うことなく、第１戸３１と第２戸３２だけを少ない開閉扉力で開閉動作できる。
（開動途中２）
図４に示すように、第１戸３１が戸尻側へ所定位置まで移動すると、連動装置５は、ピニオン５３が第１ラック５１の戸先側に対応し、かつ第２ラック５２戸尻側まで転動する。この状態で、連係装置６は流体式緩衝器６３の戸尻側のピストン・シリンダ部６５が第３戸３３の戸尻側のストッパー６２に当接し、第２戸３２と第３戸３３が連係する。
【００４６】
この連係時に流体式緩衝器６３のピストン・シリンダ部６５が衝突の衝撃を吸収して非反発状態で連係させる。このため、第１戸３１、第２戸３２に加えた開扉力を連係時に速やかに第３戸３３に伝達して効率良く３戸を一体化して開動作できる。
（全開状態）
図５に示すように、第１戸３１、第２戸３２、第３戸３３が一体化して戸袋４の戸尻側の終端に達すると、第１戸３１の戸先側にある持ち出しガイドの先端部９３が第２引込装置９のブラケット８５のレバー部８５ｂを押す。ブラケット８５は係合部８５ａがケーシング８３の溝８７の上方に立ち上がった端部８７ａから外れ、持ち出しガイドの先端部９３が凹部８９に係合する。
【００４７】
引きばね８１が第１戸３１を戸閉動方向へ引っ張ることで、第１戸３１、第２戸３２、第３戸３３が一体的に戸閉動方向に移動し、オイルダンパー８２の緩衝により、ゆっくりと移動し、第３戸３３の戸尻が戸当たりゴム９４に当接して停止する。
【００４８】
ブラケット８４のレバー部８４ｂを押して係合部８４ａを溝８６の端部８６ａに係合させることで引きばね８１を伸ばして第１引込装置８および第２引込装置９の引き込み速度を上げることができる。
（閉動）
閉動時には、上述した動作が逆手順で進行する。このように、本願発明の実施の形態１によれば、開口部１に配置した片引き３連吊戸３を、全開口にわたって開閉する場合には、連動装置５および連係装置６によって最終的に全戸が一体化して効率的に開閉動作する。小開度に開口する場合に、連係装置６で連係する二つの戸の第２戸３２と第３戸３３は、常に一体的に移動するのではなく、一方の第３戸３３の戸先側と戸尻側との間に相応する距離を他方の第２戸３２の戸尻側が移動する間において二つの戸は連係せず、他方の第２戸３２は、一方の第３戸３３の負荷を伴うことなく、少ない開閉扉力で開閉動作できる。
【００４９】
また、連係装置６を、一方の第３戸３３の戸先側と戸尻側とに設けるストッパー６１、６２と、他方の第２戸３２の戸尻側に設ける油圧式の流体式緩衝器６３で構成することにより、連係時に粘性流体による衝撃吸収作用を発揮して非反発状態で連係させることができ、他方の第２戸３２に加えた開閉扉力、すなわち第１戸３１から連動装置５を介して伝わる力を連係時に速やかに一方の第３戸３３に伝達して効率良く３戸を一体化して開閉動作できる。
【００５０】
また、第１引込装置８および第２引込装置９を有するので、全閉工程および全開工程の最終直前にゆっくりと戸を引き込んで確実に全閉状態および全開状態にすることができる。
実施の形態２
実施の形態２を図７から図１０に基づいて説明する。実施の形態２の基本的な構成要素は実施の形態１と同様であり、同符号を付して説明する。
【００５１】
この実施の形態２では、第１戸３１と第２戸３２を連係装置６で連係し、第２戸３２と第３戸３３を連動装置５で連動する。
【００５２】
このため、連動装置５は、第１ラック５１を第２戸３２に配置し、第２ラック５２をガイドレール７に固定し、ピニオン５３を第３戸３３に設けて構成している。
【００５３】
そして、連係装置６は、第１戸３１の戸先側と戸尻側にストッパー６１、６２を配置し、第２戸３２の戸先側に流体式緩衝器６３を設けて構成している。
【００５４】
この構成によれば、開口部１を閉じる位置と戸袋４に収まる位置とにわたって開閉移動する片引き三連吊戸３は、連係装置６が建具の見込み方向において隣合う戸先側の第１戸３１と中間の第２戸３２とを連係し、戸閉動方向においてのみ第１戸３１の戸尻側と第２戸３２の戸先側を連係し、戸開動方向においてのみ第１戸３１の戸先側と第２戸３２の戸先側を連係する。
【００５５】
そして、連動装置５が第２戸３２と戸尻側の第３戸３３とを連動し、第２戸３２の移動に伴って常に第３戸３３が従動する。
【００５６】
他の構成は、実施の形態１と同様であり、説明を省略する。
【００５７】
以下、上記構成における作用を説明する。
（全閉状態）
図７に示す全閉状態において、第１戸３１は、戸先側が建具枠２の竪枠に当接し、持ち出しガイド９２の先端部９３が第２引込装置９から離脱し、第２戸３２のアーム９０の先端部９１が第１引込装置８に係合している。ここでは、第１戸３１の戸先側が建具枠２の竪枠に当接するが、流体式緩衝器６３と同等の緩衝装置に第１戸３１の戸先側を当接させることも可能である。
【００５８】
第１引込装置８および第２引込装置９の動作は実施の形態１と同様であり、ここでは説明を省略する。
【００５９】
連係装置６は、流体式緩衝器６３の一方のピストン・シリンダ部６５が第１戸３１の戸尻側のストッパー６２に当接している。
【００６０】
第３戸３３は、戸先側が戸当たり１２に当接している。
（開動途中１）
図８に示すように、第１戸３１を戸開動方向に移動させると、連係装置６は流体式緩衝器６３の戸尻側のピストン・シリンダ部６４が第１戸３１の戸尻側のストッパー６２から離れる。そして、第１戸３１が戸先側のストッパー６１と戸尻側ストッパー６２との間に相応する距離を移動する間において、第２戸３２の戸尻側の流体式緩衝器６３は二つの戸を連係しない。
【００６１】
このため、片引き３連吊戸３を小開度に開口する場合に、第１戸３１は第２戸３２および第３戸３３と一体に移動せず、第２戸３２および第３戸３３の負荷を伴うことなく、第１戸３１だけを少ない開閉扉力で開閉動作できる。
（開動途中２）
図９に示すように、第１戸３１が戸尻側へ所定位置まで移動すると、連係装置６は流体式緩衝器６３の戸先側のピストン・シリンダ部６４が第１戸３１の戸先側のストッパー６１に当接し、第１戸３１と第２戸３２が連係する。
【００６２】
この連係時に流体式緩衝器６３のピストン・シリンダ部６４が衝突の衝撃を吸収して非反発状態で連係させる。このため、第１戸３１に加えた開扉力を連係時に速やかに第２戸３２に伝達して開動作できる。
【００６３】
連動装置５は、第２戸３２と第３戸３３を連動させて戸開動方向に移動させ、第１戸３１および第２戸３２の移動に伴って常に第２戸３２を従動させる。
【００６４】
すなわち、第１ラック５１の移動に伴ってピニオン５３が回転し、ピニオン５３の回転にともなってピニオン５３が第２ラック５２に噛合しながら戸尻側に移動する。このとき、第２ラック５２がピニオン５３から受ける力は戸当たり１２が受け止める。この結果、第１戸３１、第２戸３２とともに第３戸３３が戸尻側に移動する。
（全開状態）
図１０に示すように、第１戸３１、第２戸３２、第３戸３３が一体化して戸袋４の戸尻側の終端に達すると、第３戸３３の戸尻が戸当たりゴム９４に当接して停止する。
（閉動）
閉動時には、上述した動作が逆手順で進行する。このように、本願発明の実施の形態２によれば、開口部１に配置した片引き３連吊戸３を、全開口にわたって開閉する場合には、連動装置５および連係装置６によって最終的に全戸が一体化して効率的に開閉動作する。小開度に開口する場合に、連係装置６で連係する二つの戸の第１戸３１と第２戸３２は、常に一体的に移動するのではなく、一方の第１戸３１が戸先側と戸尻側との間に相応する距離を移動する間に、第１戸３１と第２戸３２は連係せず、第１戸３１は、第２戸３２および第３戸３３の負荷を伴うことなく、少ない開閉扉力で開閉動作できる。
【００６５】
また、連係装置６が連係時に衝撃を吸収して非反発状態で連係させるので、第１戸３１に加えた開扉力を連係時に速やかに第２戸３２に伝達して効率良く一体化して開動作できる。
【００６６】
上述した実施の形態１および２においては、第１戸３１、第２戸３２、第３戸３３の戸幅をほぼ同等にしたが、各戸の戸幅を異なるものとすることも可能である。例えば、実施の形態１では、第１戸３１、第２戸３２の戸幅を狭くし、第３戸３３の戸幅を開口部１の半分程度に大きくすることや、実施の形態２では第１戸３１の戸幅を開口部１の４分の１程度にするなどであり、各戸の戸幅に制限はない。
【符号の説明】
【００６７】
１    開口部
３    片引き三連吊戸
４    戸袋
５    連動装置
６    連係装置
７    ガイドレール
８    第１引込装置
９    第２引込装置
１１    ラック支持材
１２    戸当たり
３１    第１戸
３２    第２戸
３３    第３戸
５１    第１ラック
５２    第２ラック
５３    ピニオン
６１、６２  ストッパー
６３    流体式緩衝器
６４、６５  ピストン・シリンダ部
８１    引きばね
８２    オイルダンパー
８３    ケーシング
８４、８５  ブラケット
８６、８７  溝
８８    ロッド
８９    凹部
９０    アーム
９１    先端部
９２    持ち出しガイド
９３    先端部
【図１】
2020176387.tif 000003
【図２】
2020176387.tif 000004
【図３】
2020176387.tif 000005
【図４】
2020176387.tif 000006
【図５】
2020176387.tif 000007
【図６】
2020176387.tif 000008
【図７】
2020176387.tif 000009
【図８】
2020176387.tif 000010
【図９】
2020176387.tif 000011
【図１０】
2020176387.tif 000012